(57)【要約】【課題】  たとえ表示画面がスクロール表示されているときであっても、リストの中から所望の情報を迅速に選択可能な表示装置を提供する。【解決手段】  例えば共通の市名として「安城市」を住所情報とする複数の施設がスクロール表示されるとき、スクロール速度が速く施設名称情報が視認できない状態となっても、「安城市」の住所情報は、リストの住所項目の欄をゆっくりと上向き（矢印Ｃで示す方向）にスクロール表示される（（ｂ）参照）。「安城市」を住所情報とする施設がリストの最下段に表示された状態で「安城市」の統合表示が住所項目の最下段になされ（（ａ）参照）、「安城市」に続く「一宮市」の施設がリストの最下段に表示されたとき「安城市」の統合表示が住所項目の最上段になされるように（（ｃ）参照）、統合表示がスクロールされる。【選択図】  図７
2011210040.tif 000002
【特許請求の範囲】
【請求項１】
各地点に対し、複数の項目を含む地点情報を記憶する記憶手段と、
前記記憶手段に記憶されている前記地点を検索する検索手段と、
前記検索手段により検索された各地点について、複数の項目の情報からなるリストを表示画面に表示する表示手段と、
利用者の操作指示によって、前記リストのスクロール表示を行うスクロール手段と、を備え、
前記スクロール手段は、前記リストに表示されている複数の項目のうち予め決められた順序で並べられた項目の情報が、該リスト上で連続する複数の地点において共通である場合、該リストのスクロールを行う際に前記共通する情報を前記連続する複数の地点で統合して該リスト上に表示すると共に、該統合表示された情報のスクロールを制限すること、
を特徴とする表示装置。
【請求項２】
請求項１に記載の表示装置において、
前記スクロール手段は、前記リストのスクロール速度が所定速度以上である場合に、前記共通する情報を前記連続する複数の地点で統合して該リスト上に表示すると共に、該統合表示された情報のスクロールを制限すること
を特徴とする表示装置。
【請求項３】
請求項１又は２に記載の表示装置において、
前記スクロール手段は、前記項目の情報が共通する複数の地点が前記リストに表示されている間、該統合表示された情報を、該リスト上に固定して表示すること
を特徴とする表示装置。
【請求項４】
請求項１又は２に記載の表示装置において、
前記スクロール手段は、前記項目の情報が共通する複数の地点が前記リストに表示されている間、該統合表示された情報を、該リストのスクロール速度よりも小さな速度でスクロールすること
を特徴とする表示装置。
【請求項５】
請求項１〜４の何れか一項に記載の表示装置において、
前記地点情報の項目として各地点の住所情報が記憶されており、
前記スクロール手段は、前記リストで連続する複数の地点において住所の一部が共通している場合、該リストのスクロールを行う際に住所の共通する部分を前記複数の地点で統合して該リスト上に表示すると共に、該統合された住所のスクロールを制限すること
を特徴とする表示装置。
【請求項６】
請求項１〜４の何れか一項に記載の表示装置において、
前記地点情報の項目として各地点の施設名称情報が記憶されており、
前記スクロール手段は、前記リストで連続する複数の地点において施設名称の一部が共通している場合、該リストのスクロールを行う際に施設名称の共通する部分を前記複数の地点で統合して該リスト上に表示すると共に、該統合された施設名称のスクロールを制限すること
を特徴とする表示装置。
【請求項７】
各地点に対し複数の項目を含む地点情報を記憶する記憶手段に記憶されている前記地点を検索する検索手段、
前記検索手段により検索された各地点について、複数の項目の情報からなるリストを表示画面に表示する表示手段、
利用者の操作指示によって前記リストのスクロール表示を行い、前記リストに表示されている複数の項目のうち予め決められた順序で並べられた項目の情報が、該リスト上で連続する複数の地点において共通である場合、該リストのスクロールを行う際に前記共通する情報を前記連続する複数の地点で統合して該リスト上に表示すると共に、該統合表示された情報のスクロールを制限するスクロール手段、
としてコンピュータを機能させるプログラム。
【発明の詳細な説明】
【技術分野】
【０００１】
本発明は、入出力インターフェースとしての表示装置に関する。
【背景技術】
【０００２】
ナビゲーション装置では、表示装置に地図を表示することで視覚を通じた案内を行っている。表示装置には液晶などが用いられるが、近年、液晶の大型化が進み、表示装置によって、十分な量の情報が利用者へ伝達可能となってきた。
【０００３】
例えばナビゲーション装置において目的地となる地点を設定する場合には、所望の条件を指定して地点を検索し、検索結果リストとして一覧表示された地点の中から目的地となる地点の選択を行う。
【０００４】
従来、ナビゲーション装置の表示装置においても、検索結果リストを表示し、件数が多い場合は検索結果リストをスクロールする装置が提案されている（例えば、特許文献１参照）。この装置では、速度可変ボタンが表示画面上に延在しており、速度可変ボタンの操作位置に応じたスクロール速度で表示画面がスクロールする。
【先行技術文献】
【特許文献】
【０００５】
【特許文献１】特開２００６−２２１３９０号公報
【発明の概要】
【発明が解決しようとする課題】
【０００６】
しかしながら、ナビゲーション装置などの画面に表示されるリスト表示を考えた場合、スクロール速度が大きくなると、表示画面の文字が認識できなくなってしまう。具体的に図９に示すリスト表示を例に挙げて説明する。図９（ａ）では、記号Ｌで示す左側項目が「施設名称」となっており、記号Ｒで示す右側項目が「住所」となっている。ここで、リストをスクロールさせて検索結果を参照する場合、スクロール速度が高速になると、図９（ｂ）に示すように、リストに書かれている全ての文字情報が視認できなくなる。結果として、リストの中から所望の情報を迅速に選択できない、という問題が生じる。
【０００７】
なお、ここではナビゲーション装置を例に挙げて説明したが、ナビゲーション装置に限定されず、このような問題は、携帯機器などに搭載される表示装置全般に生じるものである。
【０００８】
本発明は、上述した問題を解決するためになされたものであり、たとえリストがスクロール表示されているときであっても、リスト上の一部の項目は文字情報を視認可能な状態で表示することで、リストの中から所望の情報を迅速に選択可能な表示装置を提供することを目的とする。
【課題を解決するための手段】
【０００９】
本発明の表示装置は、複数の項目を含む地点情報を各地点に対し記憶する記憶手段と、前記記憶手段に記憶されている前記地点を検索する検索手段と、前記検索手段により検索された各地点について、複数の項目の情報からなるリストを表示画面に表示する表示手段と、利用者の操作指示によって、前記リストのスクロール表示を行うスクロール手段と、を備え、前記スクロール手段は、前記リストに表示されている複数の項目のうち予め決められた順序で並べられた項目の情報が、該リスト上で連続する複数の地点において共通である場合、該リストのスクロールを行う際に前記共通する情報を前記連続する複数の地点で統合して該リスト上に表示すると共に、該統合表示された情報のスクロールを制限することを特徴とする。
【００１０】
このようにリスト上で連続する複数の地点において共通する項目の情報を統合してリスト上に表示し統合表示された情報のスクロールを制限するようにすれば、当該複数の地点に関し当該共通する項目については、スクロール表示の際にも視認可能となる。これにより、たとえ表示画面がスクロール表示されているときであっても、リストの中から所望の情報を迅速に選択することができる。
【００１１】
なお、ここでいう「地点」とは、例えばコンビニ、デパート、駐車場といった施設のことである。
【００１２】
ところで、このようなリストの統合は、スクロール速度が大きくなった場合に有効となる。つまり、表示情報が視認可能であれば、統合表示する必要性は小さい。そこで、スクロール手段は、リストのスクロール速度が所定速度以上である場合に、共通する情報を連続する複数の地点で統合して該リスト上に表示すると共に、該統合表示された情報のスクロールを制限することとしてもよい。このようにすれば、必要に応じた適切なスクロール表示が実現される。
【００１３】
統合表示された情報のスクロールを制限するとあるが、例えば、項目の情報が共通する複数の地点がリストに表示されている間、該統合表示された情報を、該リスト上に固定して表示することが考えられる。このようにすれば、統合表示された情報が見易いものとなる。また例えば、項目の情報が共通する複数の地点がリストに表示されている間、該統合表示された情報を、該リストのスクロール速度よりも小さな速度でスクロールすることが考えられる。この場合、項目の情報が共通する複数の地点がリストに表示されている間だけ、統合表示された情報がスクロールされるため、当該複数の地点と、その他の地点との区切りが分かり易くなる。
【００１４】
ところで、地点情報の項目としては住所が挙げられる。すなわち、地点情報の項目として各地点の住所情報が記憶されており、スクロール手段は、リストで連続する複数の地点において住所の一部が共通している場合、該リストのスクロールを行う際に住所の共通する部分を複数の地点で統合して該リスト上に表示すると共に、該統合された住所のスクロールを制限することとしてもよい。この場合、スクロール速度が大きくなっても、住所情報が統合表示されるため、住所情報を基にして、リストの中から所望の情報を迅速に選択することができる。
【００１５】
また、地点情報の項目としては施設名称が挙げられる。すなわち、地点情報の項目として各地点の施設名称情報が記憶されており、スクロール手段は、リストで連続する複数の地点において施設名称の一部が共通している場合、該リストのスクロールを行う際に施設名称の共通する部分を複数の地点で統合して該リスト上に表示すると共に、該統合された施設名称のスクロールを制限することとしてもよい。この場合、スクロール速度が大きくなっても、施設名称情報が統合表示されるため、施設名称情報を基にして、リストの中から所望の情報を迅速に選択することができる。
【００１６】
以上は表示装置の発明として説明してきたが、次に示すようなプログラムの発明として実現することもできる。すなわち、各地点に対し複数の項目を含む地点情報を記憶する記憶手段に記憶されている地点を検索する検索手段、検索手段により検索された各地点について、複数の項目の情報からなるリストを表示画面に表示する表示手段、利用者の操作指示によってリストのスクロール表示を行い、リストに表示されている複数の項目のうち予め決められた順序で並べられた項目の情報が、該リスト上で連続する複数の地点において共通である場合、該リストのスクロールを行う際に前記共通する情報を連続する複数の地点で統合して該リスト上に表示すると共に、該統合表示された情報のスクロールを制限するスクロール手段、としてコンピュータを機能させるプログラムである。このようなプログラムをコンピュータにて実行すれば、上述の表示装置と同様の効果が奏される。
【図面の簡単な説明】
【００１７】
【図１】実施形態のナビゲーション装置の概略構成を示すブロック図である。
【図２】リスト作成処理を示すフローチャートである。
【図３】非表示設定処理の詳細を示すフローチャートである。
【図４】検索された施設のリストを模式的に示す説明図である。
【図５】検索された施設の省略リストを模式的に示す説明図である。
【図６】スクロール処理を示すフローチャートでる。
【図７】スクロール表示される際の表示画面を模式的に示す説明図である。
【図８】スクロール表示される際の表示画面を模式的に示す説明図である。
【図９】従来のスクロール表示を示す説明図である。
【発明を実施するための形態】
【００１８】
以下、本発明の一実施形態のナビゲーション装置を図面に基づいて説明する。
図１は、本形態のナビゲーション装置の概略構成を示すブロック図である。ナビゲーション装置は、制御部１０を中心に構成されており、この制御部１０には、入力部２０、地図データ記憶部３０、現在位置算出部４０、通信部５０、スピーカ６０、及び、描画部７０が接続されている。
【００１９】
制御部１０は、通常のコンピュータとして構成されている。制御部１０の内部には、ＣＰＵ、ＲＯＭ、Ｉ／Ｏ、および、これらの構成を接続するバスラインなどが備えられている。
【００２０】
入力部２０は、操作スイッチ２１と、タッチパネル２２とを備えている。この入力部２０は、利用者がシステムに対する指示を行うためのものであり、操作スイッチ２１を介した操作入力と、タッチパネル２２を介したタッチ入力とが可能となっている。操作スイッチ２１は、例えば通常の押しボタン式スイッチ等で構成される。一方、タッチパネル２２はディスプレイ７１と一体になり、タッチ入力があると、制御部１０は、表示画面に応じた処理を実行する。本形態では、操作スイッチ２１やタッチパネル２２を使用して表示画面に表示されているリストのスクロール指示を行う。例えば、操作スイッチ２１を使用する場合は、操作スイッチ２１の上移動ボタン及び下移動ボタンの押圧操作があると、そのボタンに対応してリストの上下スクロール表示が実現される。また、タッチパネル２２を使用する場合は、タッチパネル２２にタッチした指のスライド操作やフリック（はじき）操作があると、当該指の移動に追従したリストのスクロール表示が実現される。
【００２１】
地図データ記憶部３０は、例えばハードディスク装置（ＨＤＤ）として実現される記憶装置である。なお、本形態ではＨＤＤを用いたが、ＤＶＤ−ＲＯＭや、メモリカード等の他の媒体を用いても差し支えない。地図データ記憶部３０は、位置検出の精度向上のためのいわゆるマップマッチング用データおよび経路を探索するための地図データを記憶している。
【００２２】
地図データには、施設に関する施設情報が含まれる。この施設情報を記憶するのが、施設情報データベース（以下「データベース」を「ＤＢ」と記述する）３１である。施設情報ＤＢ３１には、施設情報として、具体的には施設を特定するＩＤと関連付けられて記憶されているＰＯＩ（Point Of Interest ）情報が記憶されている。ＰＯＩ情報には、施設ＩＤ、住所、種別（ジャンル）を示すデータなどが含まれる。本形態では、入力部２０を介し検索語を入力することで、施設情報ＤＢ３１を使用して、施設を検索することが可能となっている。
【００２３】
現在位置算出部４０は、車両の現在位置を算出するものである。例えば、地磁気センサ、ジャイロスコープ、距離センサ、および、衛星からの電波を受信するＧＰＳ（Global Positioning System ）受信機等を有している。これらは、各々が性質の異なる誤差を持っているため、相互に補完しながら使用される。この現在位置算出部４０によって、リアルタイムに自車位置を算出することができる。
【００２４】
通信部５０は、外部との情報通信を行うための構成である。外部のセンタ装置（不図示）との通信を行うことで、センタ装置から種々の情報を取得する。また、スピーカ６０は音声を出力するものであり、例えば経路の案内等を音声で行う場合に使用される。
【００２５】
描画部７０には、ディスプレイ７１が接続されている。ディスプレイ７１は、液晶などを用いて構成されるカラーディスプレイ装置である。かかる構成により、制御部１０は、描画部７０を介し、ディスプレイ７１に、地図や情報を表示する。本形態では、ディスプレイ７１におけるリスト表示に特徴がある。
【００２６】
そこで次に、リスト作成処理を、図２のフローチャートに基づいて説明する。リスト作成処理は、ユーザによる施設の検索がなされた場合に実行される。
最初のＳ１００では、施設検索を行う。この処理は、ユーザから入力された検索条件によって、施設情報ＤＢ３１を検索するものである。例えば、ユーザから施設名称の一部が入力された場合、当該施設名称の一部を「検索語」として当該施設名称の一部を含む施設を検索するという具合である。
【００２７】
次のＳ１１０では、検索された施設のリスト表示を行う。このリストは、複数の項目からなるものである。この項目には、施設名称、住所、種別などが挙げられる。本形態では、施設名称と住所とがリストの「項目」となっており、各項目の「情報」が対応付けられた状態で表示されるものとする。例えば、図９（ａ）に示すごとくである。以下、施設名称の項目を「施設名称項目」といい、施設名称項目に表示される情報を「施設名称情報」という。また、住所の項目を「住所項目」といい、住所項目に表示される情報を「住所情報」という。なお、住所項目はさらに、都道府県、市町村、州、道路名等の住所体系に基づいた小項目に分けられている。本形態では説明の簡易化のために特に「市町村」を住所項目として例示するが、その他の小項目についても同様の処理が行われる。
【００２８】
続くＳ１２０では、リストが住所順であるか否かを判断する。住所順というのは、住所情報が特定の順番で並んでいるという意味であり、例えば、文字順（５０音順「あいうえお・・・」、アルファベット順「ＡＢＣ・・・」等）、位置順（北から南に向かう順「北海道、青森、秋田、・・・」等）の順番である。ここで住所順であると判断された場合（Ｓ１２０：ＹＥＳ）、Ｓ１３０へ移行する。一方、住所順でないと判断された場合、以降の処理を実行せず、リスト作成処理を終了する。
【００２９】
Ｓ１３０では、非表示設定処理を実行する。ここで非表示設定処理について説明しておく。図３は、非表示設定処理を示すフローチャートである。
最初のＳ１３０１では、変数ｉを初期化して「１」とする。この変数ｉは、検索された施設に付される番号である。この番号は、検索されたＮ件の施設に対し連番で付される。ここでは、番号１が付された施設を「施設１」と記述することとする。同様に、番号２〜Ｎが付された施設を、「施設２」〜「施設Ｎ」と記述することとする。
【００３０】
続くＳ１３０２では、変数ｊを初期化して「１」とする。変数ｊは、共通の市名を住所情報とする施設の数をカウントするためのものである。
【００３１】
次のＳ１３０３では、施設ｉの住所情報を表示設定する。この処理は、住所情報を省略した省略リストの作成において、施設ｉの住所情報の「表示」を設定するものである。最初はｉが「１」となっているため、施設１に関しては住所情報の「表示」が設定される。
【００３２】
続くＳ１３０４では、変数ｉが検索件数Ｎに等しいか否かを判断する。ここで変数ｉ＝Ｎであると判断された場合（Ｓ１３０４：ＹＥＳ）、全ての施設１〜施設Ｎまでの処理が終了しているため、Ｓ１３０５にて変数ｊの値を記憶し、非表示設定処理を終了する。一方、変数ｉ≠Ｎであると判断された場合（Ｓ１３０４：ＮＯ）、Ｓ１３０６へ移行する。
【００３３】
Ｓ１３０６では、変数ｉをインクリメントする。続くＳ１３０７では、施設ｉ及び施設ｉ−１が共通の市名の住所情報となっているか否かを判断する。ここで、共通の市名であると判断された場合（Ｓ１３０７：ＹＥＳ）、Ｓ１３０８へ移行する。一方、共通の市名でないと判断された場合（Ｓ１３０７：ＮＯ）、Ｓ１３１０にて変数ｊの値を記憶する。この時点における変数ｊは、施設ｉ−１の住所情報に含まれる市名と共通の市名を住所情報とする施設の数を示すことになる。その後、Ｓ１３０２からの処理を繰り返す。
【００３４】
Ｓ１３０８では、施設ｉの住所情報を非表示設定とする。この処理は、住所情報を省略した省略リストの作成において、施設ｉの住所情報の「非表示」を設定するものである。つまり、施設ｉの住所情報は、施設ｉ−１の住所情報と共通の市名を含むものであるため、住所情報の「非表示」を設定するのである。続くＳ１３０９では変数ｊをインクリメントし、その後、Ｓ１３０４からの処理を繰り返す。
【００３５】
以上のような非表示設定処理が実行されることにより、施設１〜施設Ｎまでの住所情報の「表示」又は「非表示」が決定される。また、住所情報に共通の市名を含む施設の数が記憶される。
【００３６】
図２のフローチャートに戻り、Ｓ１４０では、住所情報の省略リストを作成する。Ｓ１４０の処理の終了後、リスト作成処理を終了する。
【００３７】
ここで、リスト作成処理に対する理解を容易にするため、具体的な事例を用いた説明を行う。
例えば、図４に示すようなＮ件の施設が検索されたものとして説明する。このリストは、住所情報が文字順に並べられており、住所順となっている。したがって、図２中のＳ１２０にて肯定判断され、非表示設定処理が実行される（Ｓ１３０）。
【００３８】
まず変数ｉ，ｊが共に初期化されて「１」となり（図３中のＳ１３０１，Ｓ１３０２）、施設１が表示設定される（Ｓ１３０３）。次に、変数ｉがインクリメントされ（Ｓ１３０６）、施設２及び施設１の住所情報が共通の市名であるか否かが判断される（Ｓ１３０７）。このリストでは、施設１及び施設２の住所情報に共通の市名「阿久比市」があるため肯定判断され（Ｓ１３０７：ＹＥＳ）、施設２の住所情報は「非表示設定」とされる（Ｓ１３０８）。その後、Ｓ１３０４からの処理が繰り返される。
【００３９】
図４から分かるように、変数ｉ＝４の場合、施設４及び施設３の住所情報には共通の市名「阿久比市」があるため、施設４の住所情報は「非表示設定」されることになる。変数ｉ＝５の場合、施設５の住所情報が「安城市」となっており施設４の住所情報が「阿久比市」となっているため、この場合は、Ｓ１３０７にて否定判断される。このとき、ｊは「４」であり、Ｓ１３１０にて変数ｊが記憶される。この変数ｊは、阿久比市を住所情報に含む施設の数となっている。このような処理が繰り返され、変数ｉ＝Ｎになると（Ｓ１３０４：ＹＥＳ）、そのときの変数ｊの値が記憶され（Ｓ１３０５）、リスト作成処理へ戻り、省略リストが作成される（図２中のＳ１４０）。
【００４０】
省略リストは、図５に示すごとくである。つまり、共通の市名が住所情報となる施設に関しては、最初の施設にのみ住所情報が表示され、残りの施設の住所情報は非表示となる。上述した統合処理では、変数ｊの値を記憶するようにしたため、「阿久比市」を住所情報に含む施設は４件であることが把握される。同様に、「安城市」を住所情報に含む施設は１２件、「一宮市」を住所情報に含む施設は８件と把握される。
【００４１】
次に、図６のフローチャートに基づき、スクロール処理を説明する。このスクロール処理は、リスト表示処理の実行後、繰り返し実行されるものである。
【００４２】
最初のＳ２００では、スクロール指示があったか否かを判断する。この処理は、入力部２０を介したリストのスクロール指示の有無を判断するものである。本形態では、タッチパネル２２上で指をスライドさせることにより、指のスライド速度に対応するスクロール速度でスクロール表示が行われる。ここでスクロール指示があると判断された場合（Ｓ２００：ＹＥＳ）、Ｓ２１０へ移行する。一方、スクロール指示がないと判断された場合（Ｓ２００：ＮＯ）、以降の処理を実行せずに、スクロール処理を終了する。
【００４３】
Ｓ２１０では、スクロール指示に基づくスクロール速度ｖが所定速度Ｖｔｈ以上か否かを判断する。ここで所定速度Ｖｔｈは、スクロールする住所情報が一般人に視認可能な限界の速度となっている。ここでｖ≧Ｖｔｈであると判断された場合（Ｓ２１０：ＹＥＳ）、Ｓ２２０へ移行する。一方、ｖ＜Ｖｔｈであると判断された場合（Ｓ２１０：ＮＯ）、すなわち一般人に視認可能なスクロール速度であれば、Ｓ２３０にて通常のスクロール表示を行い、その後、スクロール処理を終了する。
【００４４】
Ｓ２２０では、省略リストが作成されているか否かを判断する。図２から分かるように、Ｓ１１０で表示されるリストが住所順になっていれば（Ｓ１２０：ＹＥＳ）、省略リストが作成されるため（Ｓ１４０）、ここで肯定判断される。ここで省略リストがあると判断された場合（Ｓ２２０：ＹＥＳ）、Ｓ２４０へ移行する。一方、省略リストがないと判断された場合（Ｓ２２０：ＮＯ）、Ｓ２５０にて速度制限表示を行う。この速度制限表示は、上述した指のスライド速度よりも小さなスクロール速度でリスト全体をスクロール表示するものである。例えば、所定速度Ｖｔｈ以下の速度をスクロール速度として設定するという具合である。
【００４５】
Ｓ２４０では、統合表示を行う。この処理は、省略リストに基づくスクロール表示を行うものである。本形態では、施設１〜Ｎのうちで共通の市名を住所情報とする複数の施設に関し、当該共通する住所情報を統合してリスト上に表示する。そして、統合表示された住所情報については、リスト（施設名称情報）のスクロール速度よりも小さなスクロール速度で文字のスクロール表示を行う。
【００４６】
具体的には、共通の市名として「安城市」を住所情報とする施設がリストの最下段に表示された状態で、「安城市」の統合表示が、住所項目の最下段になされる。図７（ａ）に示す如くである。この状態は、図５中に記号Ａの二点鎖線で囲んだ施設が表示対象となった時のものである。
【００４７】
図７（ｂ）に示すように、施設名称情報は視認できない状態となるが、「安城市」という住所情報は統合表示され、リストの住所項目の欄をゆっくりと上向き（矢印Ｃで示す方向）にスクロール表示される。このときの統合表示された住所情報のスクロール速度ｖｔは、施設名称情報のスクロール速度をｖとすると、
ｖｔ＝ｖ×（４／ｊ）  （ｊ：「安城市」を住所情報に含む施設の数）
となる。
【００４８】
これは、図９（ａ）に示したようにリストの表示可能行数が５行であることを前提に、統合表示が４行分上方へ移動する間に、「安城市」を住所情報に含む施設が全て表示されるようにするためである。
【００４９】
「安城市」を住所情報とする施設は上述したように「１２件」あるため、統合表示された住所情報のスクロール速度ｖｔは、リスト（施設名称情報）のスクロール速度ｖの（１／３）となる。
【００５０】
そして、「一宮市」を住所情報とする施設がリストの最下段に表示されたとき住所情報「安城市」が最上段へ移動している。図７（ｃ）に示す如くである。この状態は、図５中に記号Ｂの二点鎖線で囲んだ施設が表示対象となった時のものである。
つまり、住所情報が共通する複数の施設がリストに表示されている間、統合表示された住所情報である「安城市」を、リスト（施設名称情報）のスクロール速度よりも小さな速度でスクロールさせるのである。
【００５１】
なお、ここでは、「安城市」を例に挙げて説明したが、「阿久比市」及び「一宮市」でも同様のスクロール表示がなされる。
【００５２】
以上詳述したように、本形態によれば、例えば共通の市名を住所情報とする複数の施設が上方向にスクロール表示されるとき、スクロール速度が速く施設名称情報が視認できない状態となっても、共通する住所情報は、リストの住所項目の欄をゆっくりと上向き（矢印Ｃで示す方向）にスクロール表示される（図７（ｂ）参照）。これにより、スクロール表示されている施設の住所を把握できるため、リストの中から所望の情報を迅速に選択することができる。なお、本形態では住所情報として市町村名のスクロールについて説明したが、市町村名のスクロールと並行して上位階層の都道府県名（「愛知県」）についても同様の処理が行われている。
【００５３】
また、本形態では、統合表示された住所情報をリスト（施設名称情報）のスクロール速度よりも小さな速度でスクロールさせるのは、住所情報が共通する複数の施設がリストに表示されている間となっている。これにより、住所情報が共通する複数の地点がリストに表示されている間だけ統合表示された住所情報がスクロールされるため、当該複数の地点とその他の地点との区切りが分かり易くなる。
【００５４】
さらにまた、本形態では、リストのスクロール速度が所定値以上となった場合に（図６中のＳ２１０：ＹＥＳ）、上述したような統合表示を行う（Ｓ２４０）。これにより、必要に応じた適切なスクロール表示が実現される。
【００５５】
また、本形態では、省略リストが作成されていない場合（図６中のＳ２２０：ＮＯ）、スクロール速度を制限したスクロール表示を行う（Ｓ２５０）。これにより、省略リストが作成されていない場合であっても、スクロール速度が大きくなって住所情報が視認できない状態となることを回避することができる。
【００５６】
なお、本形態における施設情報ＤＢ３１が「記憶手段」を構成し、制御部１０が「検索手段」、「表示手段」及び「スクロール手段」を構成する。
また、図２中のＳ１００の処理が「検索手段」の機能としての処理に相当し、Ｓ１１０の処理が「表示手段」の機能としての処理に相当し、図６に示すスクロール処理が「スクロール手段」の機能としての処理に相当する。
【００５７】
以上、本発明は、上述の形態に何等限定されるものではなく、その思想を逸脱しない範囲において種々なる形態で実施できる。
【００５８】
（イ）例えば、上記形態は「安城市」といった住所情報をゆっくりとスクロール表示させる構成であったが、住所項目の上下方向における中央部分などに固定的に表示するようにしてもよい。
【００５９】
具体的には、例えば図５中に記号Ａの二点鎖線で囲んだ施設が表示対象となった時には、図８（ａ）に示すように、「阿久比市」と「安城市」とが住所項目の上下方向における中央部分に並べて固定的に表示される。
【００６０】
さらにリストがスクロールされて表示対象の施設の全てが「安城市」を住所情報とする場合には、図８（ｂ）に示すように、「安城市」のみが住所項目の上下方向における中央部分に固定的に表示される。
【００６１】
そして、図５中に記号Ｂの二点鎖線で囲んだ施設が表示対象となった時には、図８（ｃ）に示すように、「安城市」と「一宮市」とが住所項目の上下方向における中央部分に並べて固定的に表示される。なお、ここでは、「安城市」を例に挙げて説明したが「阿久比市」及び「一宮市」でも同様の表示を行う。
【００６２】
つまり、住所情報が共通する複数の施設がリストに表示されている間、統合表示された住所情報を、リスト上に固定して表示するのである。このようにすれば、統合表示された住所情報が見易いものとなる。
【００６３】
（ロ）上記形態は住所情報の共通部分を統合して表示するものであったが、施設名称情報が文字順となっているような場合、施設名称情報の共通部分を統合して表示するようにしてもよい。例えば、チェーン店等のように施設名称情報の一部が共通していることも多いため、住所情報を統合する場合と同様にリストの操作性の向上が可能である。この場合、図２のリスト作成処理のＳ１２０において、リストが施設名称順か否かを判断するようにし、施設名称情報についての省略リストを作成するようにすればよい。
【００６４】
（ハ）上記形態のリストは施設名称項目及び住所項目で構成されていたが、これらの項目に加え又は代え、その他の項目を表示するようにしてもよい。例えば施設情報で言えば、「種別」を項目とすることが考えられる。例えば、施設を検索して一覧表示した際に、施設名称情報に加え「コンビニ」、「スーパー」、「デパート」等の種別情報を表示するものであり、実施方法は住所情報や施設名称情報を統合する場合と同様である。また、通常リストは横書きであるが、縦書きのリストを横にスクロールさせる態様としてもよい。
【００６５】
（ニ）上記形態では、表示画面上のスライド操作やフリック操作によってスクロール表示が実行されるようになっていた。これに対し、表示画面にスクロール表示を実行するためのボタンなどを表示し、このボタンへのタッチ操作によってスクロール表示が実行されるようにしてもよい。
【００６６】
（ホ）上記実施形態は発明をナビゲーション装置に適用したものであったが、本発明は、表示装置のスクロール技術に関するものであり、表示装置を備える携帯端末などに適用することも可能である。
【符号の説明】
【００６７】
１０・・・制御部
２０・・・入力部
２１・・・操作スイッチ
２２・・・タッチパネル
３０・・・地図データ記憶部
３１・・・施設情報ＤＢ
４０・・・現在位置算出部
５０・・・通信部
６０・・・スピーカ
７０・・・描画部
７１・・・ディスプレイ
【図１】
2011210040.tif 000003
【図２】
2011210040.tif 000004
【図３】
2011210040.tif 000005
【図４】
2011210040.tif 000006
【図５】
2011210040.tif 000007
【図６】
2011210040.tif 000008
【図７】
2011210040.tif 000009
【図８】
2011210040.tif 000010
【図９】
2011210040.tif 000011